(57)【要約】【課題】本発明は、刃物を手に握持して、モーターで回動する砥石盤に刃面を係合し研磨しても、刃物の巻きこみ等の危険性が無く、スピーディに刃物の両面又は片面を研磨し、研磨した刃面が均等に研がれ、本体が小型軽量化となる連接砥石刃物研ぎ機のを得る。【解決手段】回転する２台のモーターが並設され、台座に載設した一方のモーターに接続された回動軸が２つのピロブロックで軸支され、回動軸の前部に２枚の砥石盤を取り付け、もう片方のモーターも台座に載設し、回動軸が２つのピロブロックに軸支され、回動軸の前部に２枚の砥石盤を取り付け、その左右それぞれ２枚の砥石盤が前後交互に近接した所定位置に設けられ、一方のモーターの回転を反対方向に回転させ、回転方向が異なる左右の砥石盤に刃面を係合し研磨出来るとともに、研ぎ機側端に手動ハンドルを設けたウォームギアを一方のモーターを載設した台座の２つのピロブロックの間に挿通し、ウォームギアに可動ナットを螺設して台座に取り付け、手動ハンドルの回動に合わせ台座が左右に作動する手段を講ずる。【選択図】　図２
2004009287.tif 000002
【特許請求の範囲】
【請求項１】
刃物の刃面に係合して研磨する研ぎ手段において、回転する２台のモーターが並設され、前記研ぎ手段が研磨する刃物を手で握持し垂直又は斜めに研磨できる刃物研ぎ機であり、その研ぎ手段として、台座に載設した一方のモーターに接続された回動軸が２つのピロブロックで軸支され、回動軸の前部に２枚の砥石盤を取り付け、もう片方のモーターも台座に載設し、回動軸が２つのピロブロックに軸支され、回動軸の前部に２枚の砥石盤を取り付け、その左右それぞれ２枚の砥石盤が前後交互に近接した所定位置に設けられ、一方のモーターの回転を反対方向に回転させ、回転方向が異なる左右の砥石盤に刃面を係合し研磨出来るとともに、研ぎ機側端に手動ハンドルを設けたウォームギアを一方のモーターを載設した台座の２つのピロブロックの間に挿通し、ウォームギアに可動ナットを螺設して台座に取り付け、手動ハンドルの回動に合わせ台座が左右に作動することを特徴とする連接砥石刃物研ぎ機。
【請求項２】
前記刃物の刃面に係合して研磨する研ぎ手段において、ウォームギアに螺設した可動ナットおいて、手動ハンドルの回動で、可動ナットを取り付けた一方の台座が左右に作動自在となり、その台座に載設しモーターの回動軸に設けた２枚の砥石盤が、もう片方のモーターの回動軸に設けた２枚の砥石盤の間が連接して、近接離間自在となり、刃物の刃面に係合する研磨角度が自由に決められる請求項１記載の連接砥石刃物研ぎ機。
【請求項３】
前記刃物の刃面に係合して研磨する研ぎ手段において、並設したモーターが回動し、４枚の砥石盤が回動時には、刃物を手で握持して刃面をに垂直に係合して研磨出来るとともに、モーター１台を停止しすると、刃面の片面毎を斜めに研磨ができる請求項１記載の連接砥石刀物研ぎ機。
【請求項４】
前記２台のモーターの回動軸において、軸支しているピロブロックを取り外し、回動軸にそれぞれ２枚の砥石盤を直接取り付けた請求項１記載の連接砥石刃物研ぎ機。
【発明の詳細な説明】
【０００１】
【発明の属する技術分野】
本発明は、電動式で刃物の刃面を、安全に両面又は片面を素早く均一に研磨できるに連接砥石刃物研ぎ機に関する。
【０００２】
【従来の技術】
従来、電動式で刃物の刃面を研磨する刃物研ぎ機においては、刃物を手で保持し、モーターで回動する一枚の砥石盤の砥石部である周縁に、刃面を係合しながら刃面を移動させ片面毎に研磨したり、左右大小２つの移動筒の先端に取り付けた円形の砥石板を、モーターとともに斜めに対照に設け、刃物を刃物押さえ板で保持し砥石の回転を下向き回転として、刃物の刃面を円形の砥石板に係合させて研磨するものがあった。
【０００３】
【発明が解決しようとする課題】
従来の電動式の刃物研ぎ機においては、モーターで回動する一枚の砥石盤の砥石部である周縁に刃面を係合し片面毎の研磨であったり、左右大小２つの移動筒の先端に取り付けた円形の砥石板を、モーターとともに斜めに対照に設け、刃物を刃物押さえ板で保持し刃物の刃面を円形の砥石板に係合させて研磨するものであったため、刃物を手で握持しながら研磨する危険性や、また、左右大小２つの円形の砥石板がモーターが回動する方向が下向き回転となり、刃物を刃物押さえ板で保持する手段を講じていても、左右の砥石板の係合摩擦等で、刃物が機械に巻きこまれる危険性があり、両者はいずれも安全面と、左右大小２つの円形の砥石板を用いる刃物研ぎ機では、刃面の先端と後端で研磨差が生じ、均等に研磨が出来ない問題があった。
【０００４】
本発明は、刃物を手に握持して、モーターで回動する砥石盤に刃面を係合し研磨しても、刃物の巻きこみ等の危険性が無く、スピーディに刃物の両面又は片面を研磨し、研磨した刃面が均等に仕上り、研ぎ機本体が小型軽量化となって移動にも便利な連接砥石刃物研ぎ機の提供を目的とするものである。
【０００５】
【課題を解決するための手段】
前記の課題を達成するため、刃物の刃面に係合して研磨する研ぎ手段において、回転する２台のモーターが並設され、前記研ぎ手段が研磨する刃物を手で握持し垂直又は斜めに研磨できる刃物研ぎ機であり、その研ぎ手段として、台座に載設した一方のモーターに接続された回動軸が２つのピロブロックで軸支され、回動軸の前部に２枚の砥石盤を取り付け、もう片方のモーターも台座に載設し、回動軸が２つのピロブロックに軸支され、回動軸の前部に２枚の砥石盤を取り付け、その左右それぞれ２枚の砥石盤が前後交互に近接した所定位置に設けられ、一方のモーターの回転を反対方向に回転させ、回転方向が異なる左右の砥石盤に刃面を係合し研磨出来るとともに、研ぎ機側端に手動ハンドルを設けたウォームギアを一方のモーターを載設した台座の２つのピロブロックの間に挿通し、ウォームギアに可動ナットを螺設して台座に取り付け、手動ハンドルの回動に合わせ台座が左右に作動する手段を講じている。
【０００６】
また、ウォームギアに螺設した可動ナットおいて、手動ハンドルの回動で、可動ナットを取り付けた一方の台座が左右に作動自在となり、その台座に載設しモーターの回動軸に設けた２枚の砥石盤が、もう片方のモーターの回動軸に設けた２枚の砥石盤の間が連接して、近接離間自在となり、刃物の刃面に係合する研磨角度が自由に決められることが好ましい。
【０００７】
また、並設したモーターが回動し、４枚の砥石盤が回動時には、刃物を手で握持して刃面をに垂直に係合して研磨出来るとともに、モーター１台を停止しすると、刃面の片面毎を斜めに研磨ができることが好ましい。
【０００８】
さらに、２台のモーターの回動軸において、軸支しているピロブロックを取り外し、回動軸にそれぞれ２枚の砥石盤を直接取り付けてもよい。
【０００９】
【発明の実施の形態】
発明の実施の形態を実施例にもとづき図面を参照して説明する。
図１〜図２で示す実施例では、刃物１の刃面２に係合して研磨する研ぎ手段において、回転する２台のモーター３が並設され、前記研ぎ手段が研磨する刃物を手で握持し垂直又は斜めに研磨できる刃物研ぎ機４であり、その研ぎ手段として、台座５に載設した一方のモーター３に接続された回動軸６が２つのピロブロック７で軸支され、回動軸６の前部に２枚の砥石盤８を取り付け、もう片方のモーター３も台座５に載設し、回動軸６が２つのピロブロック７に軸支され、回動軸６の前部に２枚の砥石盤８を取り付け、その左右それぞれ２枚の砥石盤８が前後交互に近接した所定位置に設けられ、一方のモーター３の回転を反対方向に回転させ、回転方向が異なる左右の砥石盤８に刃面２を係合し研磨出来るとともに、研ぎ機側端に手動ハンドル９を設けたウォームギア１０を一方のモーター３を載設した台座５の２つのピロブロック７の間に挿通し、ウォームギア１０に可動ナット１１を螺設して台座５に取り付け、手動ハンドル９の回動に合わせ台座５が左右に作動するようにしている。
【００１０】
また、図２で示す実施例では、ウォームギアに螺設した可動ナットおいて、手動ハンドルの回動で、可動ナットを取り付けた一方の台座が左右に作動自在となり、その台座に載設しモーターの回動軸に設けた２枚の砥石盤が、もう片方のモーターの回動軸に設けた２枚の砥石盤の間が連接して、近接離間自在となり、刃物の刃面に係合する研磨角度が自由に決められるようにしている。
【００１１】
また、並設したモーターが回動し、４枚の砥石盤が回動時には、刃物を手で握持して刃面をに垂直に係合して研磨出来るとともに、モーター１台を停止しすると、刃面の片面毎を斜めに研磨ができるようになる。
【００１２】
さらに、２台のモーターの回動軸において、軸支しているピロブロックを取り外し、回動軸にそれぞれ２枚の砥石盤を直接取り付けてもよい。
【００１３】
前記のような構成により、本発明の連接砥石刃物研ぎ機で研ぐ場合、刃物１を手に垂直に持ち、左右２台の電動式であるモーター３の一方を、回転方向を反対方向に回転し、刃物１を手に垂直に握持し、左右それぞれ回転する２枚の砥石盤６の交差部分に刃面２を係合し、両面がスピーディに研磨出来るようになるものである。
【００１４】
【発明の効果】
本発明の連接砥石刃物研ぎ機において、２台のモーターを用いて、一方のモーターの回転を反対方向に回転させるようにした為、刃物を手に握持して刃面を研いでも、刃物の巻きこみ等の危険性が無く安全となり、左右４枚の砥石盤に刃面が係合となって、スピーディに刃物の両面の研磨、又は１台モーターを止めて片面を研磨し、研磨した刃面が均等に研がれるようになるものである。
【００１５】
【図面の簡単な説明】
【図１】本発明の実施例を示す斜視図である。
【図２】本発明の実施例を示す平面図である。
【符号の説明】
１　刃物
２　刃面
３　モーター
４　刃物研ぎ機
５　台座
６　回動軸
７　ピロブロック
８　砥石盤
９　手動ハンドル
１０　ウォームギア
１１　可動ナット
１２　カバー
【図１】
2004009287.tif 000003
【図２】
2004009287.tif 000004